【手続補正書】
【提出日】平成18年3月17日(2006.3.17)
【手続補正１】
【補正対象書類名】明細書
【補正対象項目名】発明の名称
【補正方法】変更
【補正の内容】
【発明の名称】再生装置、再生方法、記録再生装置及び記録媒体
【手続補正２】
【補正対象書類名】明細書
【補正対象項目名】特許請求の範囲
【補正方法】変更
【補正の内容】
【特許請求の範囲】
【請求項１】  記録媒体から誤り訂正ブロック単位にデータを再生する再生装置において、
ヘッド手段と、
上記ヘッド手段で取り出した誤り訂正ブロック単位の再生信号からアドレスをデコードし、アドレス情報を生成するアドレスデコード手段と、
上記アドレスデコード手段からのアドレス情報を基に、上記誤り訂正ブロック単位の再生信号から生成された２値化データに誤り訂正処理を施す誤り訂正手段とを備え、
上記誤り訂正手段から有効な再生データが得られなかった誤り訂正ブロック単位のデータのアドレス情報を上記記録媒体の再生エラーリストに登録することを特徴とする再生装置。
【請求項２】  上記誤り訂正手段から有効な再生データが得られなかった誤り訂正ブロックは、再生時にエラーを発生したブロックであることを特徴とする請求項１記載の記録再生装置。
【請求項３】  上記誤り訂正手段から有効な再生データが得られなかった誤り訂正ブロックは、再生時にアクセスできなかったブロックであることを特徴とする請求項１記載の記録再生装置。
【請求項４】  記録媒体から誤り訂正ブロック単位にデータを再生する再生方法において、
ヘッド手段で取り出した誤り訂正ブロック単位の再生信号からアドレスをデコードし、アドレス情報を生成するアドレスデコード工程と、
上記アドレスデコード工程からのアドレス情報を基に、上記誤り訂正ブロック単位の再生信号から生成された２値化データに誤り訂正処理を施す誤り訂正工程とを備え、
上記誤り訂正手段から有効な再生データが得られなかった誤り訂正ブロック単位のデータのアドレス情報を上記記録媒体の再生エラーリストに登録することを特徴とする再生方法。
【請求項５】  記録媒体から複数の誤り訂正ブロックからなるフラグメント単位にデータを再生する再生装置において、
ヘッド手段と、
上記ヘッド手段で取り出した誤り訂正ブロック単位の再生信号からアドレスをデコードし、アドレス情報を生成するアドレスデコード手段と、
上記アドレスデコード手段からのアドレス情報を基に、上記誤り訂正ブロック単位の再生信号から生成された２値化データに誤り訂正処理を施す誤り訂正手段とを備え、
上記誤り訂正手段から有効な再生データが得られなかった誤り訂正ブロック単位のデータのアドレス情報を上記記録媒体の再生エラーリストに登録することを特徴とする再生装置。
【請求項６】  記録媒体から複数の誤り訂正ブロックからなるフラグメント単位にデータを再生する再生方法において、
ヘッド手段で取り出した誤り訂正ブロック単位の再生信号からアドレスをデコードし、アドレス情報を生成するアドレスデコード工程と、
上記アドレスデコード工程からのアドレス情報を基に、上記誤り訂正ブロック単位の再生信号から生成された２値化データに誤り訂正処理を施す誤り訂正工程とを備え、
上記誤り訂正工程から有効な再生データが得られなかった誤り訂正ブロック単位のデータのアドレス情報を上記記録媒体の再生エラーリストに登録することを特徴とする再生方法。
【請求項７】  記録媒体に対して誤り訂正ブロック単位にデータを記録再生する記録再生装置において、
ヘッド手段と、
上記ヘッド手段で取り出した誤り訂正ブロック単位の再生信号からアドレスをデコードし、アドレス情報を生成するアドレスデコード手段と、
上記アドレスデコード手段からのアドレス情報を基に、上記誤り訂正ブロック単位の再生信号から生成された２値化データに誤り訂正処理を施す誤り訂正手段とを備え、
再生時に上記誤り訂正手段から有効な再生データが得られなかった誤り訂正ブロック単位のデータのアドレス情報を上記記録媒体の再生エラーリストに登録し、
上記記録媒体の再生エラーリストにアドレス情報が登録された、上記誤り訂正手段から有効な再生データが得られなかった誤り訂正ブロックに対してデータの記録要求があったとき、その誤り訂正ブロックと交替ブロックを上記記録媒体の欠陥リストに登録して上記再生エラーリストから上記誤り訂正ブロックを除き、さらにデータを上記交替ブロックに記録することを特徴とする記録再生装置。
【請求項８】  記録媒体に対して複数の誤り訂正ブロックからなるフラグメント単位にデータを記録再生する記録再生装置において、
ヘッド手段と、
上記ヘッド手段で取り出した誤り訂正ブロック単位の再生信号からアドレスをデコードし、アドレス情報を生成するアドレスデコード手段と、
上記アドレスデコード手段からのアドレス情報を基に、上記誤り訂正ブロック単位の再生信号から生成された２値化データに誤り訂正処理を施す誤り訂正手段とを備え、
再生時に上記誤り訂正手段から有効な再生データが得られなかった誤り訂正ブロック単位のデータのアドレス情報を上記記録媒体の再生エラーリストに登録し、
上記記録媒体の欠陥リストに登録された誤り訂正ブロックを含む、複数の誤り訂正ブロックを単位としたフラグメントを、データの記録要求があったときに除くことを特徴とする記録再生装置。
【請求項９】  上記記録媒体の再生エラーリストにアドレス情報が登録された、上記誤り訂正ブロックを含む、複数の誤り訂正ブロックを単位としたフラグメントを、データの記録要求があったときに除くことを特徴とする請求項８記載の記録再生装置。
【請求項１０】  上記ディスク状記録媒体の再生エラーリストにアドレス情報が登録された、上記誤り訂正手段から有効な再生データが得られなかった誤り訂正ブロックを含む、複数の誤り訂正ブロックを単位としたフラグメントに対してデータの記録要求があったとき、その誤り訂正ブロックと交替ブロックを上記記録媒体の欠陥リストに登録して上記再生エラーリストから上記誤り訂正ブロックを除き、さらにデータを別のフラグメントに記録することを特徴とする請求項８記載の記録再生装置。
【請求項１１】  記録再生装置により誤り訂正ブロック単位にデータが記録再生される記録媒体において、
再生時に誤り訂正処理により有効なデータが得られなかった誤り訂正ブロック単位の復調データのアドレス情報を登録しておく再生エラーリストを、欠陥リストと別に備えることを特徴とする記録媒体。
【手続補正３】
【補正対象書類名】明細書
【補正対象項目名】０００１
【補正方法】変更
【補正の内容】
【０００１】
【発明の属する技術分野】
本発明は記録媒体から誤り訂正ブロック単位にデータを再生する再生装置及び再生方法、また、記録媒体に誤り訂正ブロック単位にデータを記録するときに再生時のエラー情報を利用した欠陥管理を行う記録再生装置、並びに記録媒体に関する。
【手続補正４】
【補正対象書類名】明細書
【補正対象項目名】００１１
【補正方法】変更
【補正の内容】
【００１１】
【課題を解決するための手段】
本発明に係る再生装置は、上記課題を解決するために、記録媒体から誤り訂正ブロック単位にデータを再生する再生装置において、ヘッド手段と、上記ヘッド手段で取り出した誤り訂正ブロック単位の再生信号からアドレスをデコードし、アドレス情報を生成するアドレスデコード手段と、上記アドレスデコード手段からのアドレス情報を基に、上記誤り訂正ブロック単位の再生信号から生成された２値化データに誤り訂正処理を施す誤り訂正手段とを備え、上記誤り訂正手段から有効な再生データが得られなかった誤り訂正ブロック単位のデータのアドレス情報を上記記録媒体の再生エラーリストに登録する。
【手続補正５】
【補正対象書類名】明細書
【補正対象項目名】００１２
【補正方法】変更
【補正の内容】
【００１２】
本発明に係る再生方法は、上記課題を解決するために、記録媒体から誤り訂正ブロック単位にデータを再生する再生方法において、ヘッド手段で取り出した誤り訂正ブロック単位の再生信号からアドレスをデコードし、アドレス情報を生成するアドレスデコード工程と、上記アドレスデコード工程からのアドレス情報を基に、上記誤り訂正ブロック単位の再生信号から生成された２値化データに誤り訂正処理を施す誤り訂正工程とを備え、上記誤り訂正手段から有効な再生データが得られなかった誤り訂正ブロック単位のデータのアドレス情報を上記記録媒体の再生エラーリストに登録する。
【手続補正６】
【補正対象書類名】明細書
【補正対象項目名】００１３
【補正方法】変更
【補正の内容】
【００１３】
本発明に係る再生装置は、上記課題を解決するために、記録媒体から複数の誤り訂正ブロックからなるフラグメント単位にデータを再生する再生装置において、ヘッド手段と、上記ヘッド手段で取り出した誤り訂正ブロック単位の再生信号からアドレスをデコードし、アドレス情報を生成するアドレスデコード手段と、上記アドレスデコード手段からのアドレス情報を基に、上記誤り訂正ブロック単位の再生信号から生成された２値化データに誤り訂正処理を施す誤り訂正手段とを備え、上記誤り訂正手段から有効な再生データが得られなかった誤り訂正ブロック単位のデータのアドレス情報を上記記録媒体の再生エラーリストに登録する。
また、本発明に係る再生方法は、上記課題を解決するために、記録媒体から複数の誤り訂正ブロックからなるフラグメント単位にデータを再生する再生方法において、ヘッド手段で取り出した誤り訂正ブロック単位の再生信号からアドレスをデコードし、アドレス情報を生成するアドレスデコード工程と、上記アドレスデコード工程からのアドレス情報を基に、上記誤り訂正ブロック単位の再生信号から生成された２値化データに誤り訂正処理を施す誤り訂正工程とを備え、上記誤り訂正工程から有効な再生データが得られなかった誤り訂正ブロック単位のデータのアドレス情報を上記記録媒体の再生エラーリストに登録する。
【手続補正７】
【補正対象書類名】明細書
【補正対象項目名】００１４
【補正方法】変更
【補正の内容】
【００１４】
本発明に係る記録再生装置は、上記課題を解決するために、記録媒体に対して誤り訂正ブロック単位にデータを記録再生する記録再生装置において、ヘッド手段と、上記ヘッド手段で取り出した誤り訂正ブロック単位の再生信号からアドレスをデコードし、アドレス情報を生成するアドレスデコード手段と、上記アドレスデコード手段からのアドレス情報を基に、上記誤り訂正ブロック単位の再生信号から生成された２値化データに誤り訂正処理を施す誤り訂正手段とを備え、再生時に上記誤り訂正手段から有効な再生データが得られなかった誤り訂正ブロック単位のデータのアドレス情報を上記記録媒体の再生エラーリストに登録し、上記記録媒体の再生エラーリストにアドレス情報が登録された、上記誤り訂正手段から有効な再生データが得られなかった誤り訂正ブロックに対してデータの記録要求があったとき、その誤り訂正ブロックと交替ブロックを上記記録媒体の欠陥リストに登録して上記再生エラーリストから上記誤り訂正ブロックを除き、さらにデータを上記交替ブロックに記録する。
また、本発明に係る記録再生装置は、上記課題を解決するために、記録媒体に対して複数の誤り訂正ブロックからなるフラグメント単位にデータを記録再生する記録再生装置において、ヘッド手段と、上記ヘッド手段で取り出した誤り訂正ブロック単位の再生信号からアドレスをデコードし、アドレス情報を生成するアドレスデコード手段と、上記アドレスデコード手段からのアドレス情報を基に、上記誤り訂正ブロック単位の再生信号から生成された２値化データに誤り訂正処理を施す誤り訂正手段とを備え、再生時に上記誤り訂正手段から有効な再生データが得られなかった誤り訂正ブロック単位のデータのアドレス情報を上記記録媒体の再生エラーリストに登録し、上記記録媒体の欠陥リストに登録された誤り訂正ブロックを含む、複数の誤り訂正ブロックを単位としたフラグメントを、データの記録要求があったときに除く。